(57)【要約】【課題】交通規制をかけなくても簡単にランプ交換することができるポール灯を提供する。【解決手段】照明器具２はポール１に昇降自在で回動自在に設けられている。昇降装置３は照明器具２を昇降させる。ガイド４は照明器具２の上昇位置で照明器具２を路面上に進出させ下降位置で路面上から後退するように照明器具２を回動させる。そして、照明器具２の上昇位置は照明器具２に路面上の車輌が衝突しない高さである。またガイド４はポール１の周面に螺旋状に形成された複数の突条であり、照明器具２は突条の両面を転動する一対のガイドローラを有する。照明器具２の上昇位置に対応してポール１に回転止め用の被嵌合部付き基台部１６を設け、照明器具２の上昇位置で被嵌合部に嵌合する嵌合部を照明器具２に設けている。【選択図】        図１
2006261016.tif 000002
【特許請求の範囲】
【請求項１】
ポールと、このポールに昇降自在で回動自在に設けられた照明器具と、前記照明器具を昇降させる昇降装置と、前記照明器具の上昇位置で前記照明器具を路面上に進出させ下降位置で前記路面上から後退するように前記照明器具を回動させる回動手段とを備え、前記照明器具が前記路面上に進出するときの高さを前記路面上の車輌を避けた高さとしたポール灯。
【請求項２】
前記回動手段は、前記照明器具の昇降に伴って前記照明器具を回動させるガイドを有する請求項１記載のポール灯。
【請求項３】
前記ガイドは前記ポールの周面に螺旋状に形成された突条であり、前記照明器具は前記突条の両面を転動する一対のガイドローラを有する請求項２記載のポール灯。
【請求項４】
前記照明器具は前記一対のガイドローラの上側または下側に別のガイドローラを設けた請求項３記載のポール灯。
【請求項５】
前記別のガイドローラは前記突条の各々の片側であって、前記ポールを周方向の一方向に向いた側に配置している請求項４記載のポール灯。
【請求項６】
前記照明器具の前記下降位置は人が前記照明器具を触れることができない高さである請求項１、請求項２、請求項３、請求項４または請求項５記載のポール灯。
【請求項７】
前記照明器具の前記上昇位置に対応して前記ポールに回転止め用の被嵌合部付き基台部を設け、前記照明器具の前記上昇位置で前記被嵌合部に嵌合する嵌合部を前記照明器具に設けた請求項１、請求項２、請求項３、請求項４、請求項５または請求項６記載のポール灯。  
【請求項８】
前記照明器具は前記ポールに外嵌する昇降架台を有し、前記昇降架台の内側に前記ポールの周面に摺接する振れ防止部材を有する請求項１、請求項２、請求項３、請求項４、請求項５、請求項６または請求項７記載のポール灯。
【発明の詳細な説明】
【技術分野】
【０００１】
この発明は、ポールに照明器具を昇降自在に設けたポール灯に関するものである。
【背景技術】
【０００２】
従来のポール灯は図１１に示すようにポール５１より道路５２側に進出するように照明器具５０が取付けられ、ランプ交換の際は昇降機により照明器具５０がその位置で昇降動作を行うものであった。
【０００３】
別の従来例（例えば特許文献１参照）は、電球等をポールから分離できるケースに収納し、ランプ交換の際、ケースをワイヤ等で昇降するものであった。
【０００４】
これらの従来例によれば、ランプ交換を高所作業車等を用いて実施する必要がない。
【特許文献１】特開２００４−６１９５
【発明の開示】
【発明が解決しようとする課題】
【０００５】
しかし、照明器具５０等が道路５２側にあるため、ランプ交換で照明器具５０等を下降する時、大型車で４ｍ付近、普通車で２ｍ付近で照明器具５０が車５３に当たる。このため、車５３に照明器具５０を当てないために必ず道路５２を通行止めにしないと作業ができない。またランプ交換作業は必ず道路５２で行うため、通行止め中は安全確保のため前後に安全確認作業者が必要である。
【０００６】
したがって、この発明の目的は、交通規制をかけなくても簡単にランプ交換することができるポール灯を提供することである。
【課題を解決するための手段】
【０００７】
この発明のポール灯は、照明器具はポールに昇降自在で回動自在に設けられている。昇降装置は前記照明器具を昇降させる。回動手段は前記照明器具の上昇位置で前記照明器具を路面上に進出させ下降位置で前記路面上から後退するように前記照明器具を回動させる。そして、前記照明器具が前記路面上に進出するときの高さを前記路面上の車輌を避けた高さとしたものである。
【０００８】
上記構成において、前記回動手段は、前記照明器具の昇降に伴って前記照明器具を回動させるガイドを有する。
【０００９】
上記構成において、前記ガイドは前記ポールの周面に螺旋状に形成された突条であり、前記照明器具は前記突条の両面を転動する一対のガイドローラを有する。
【００１０】
上記構成において、前記照明器具は前記一対のガイドローラの上側または下側に別のガイドローラを設けている。
【００１１】
上記構成において、前記別のガイドローラは前記突条の各々の片側であって、前記ポールの周方向の一方向に向いた側に配置している。
【００１２】
上記構成において、前記照明器具の前記下降位置は人が前記照明器具を触れることができない高さである。
【００１３】
上記構成において、前記照明器具の前記上昇位置に対応して前記ポールに回転止め用の被嵌合部付き基台部を設け、前記照明器具の前記上昇位置で前記被嵌合部に嵌合する嵌合部を前記照明器具に設けている。  
【００１４】
上記構成において、前記照明器具は前記ポールに外嵌する昇降架台を有し、前記昇降架台の内側に前記ポールの周面に摺接する振れ防止部材を有する。
【発明の効果】
【００１５】
この発明のポール灯によれば、ランプ交換等のメンテナンス時に照明器具を上昇位置から下降位置まで下ろしても道路から後退した位置に回動し、また照明器具を路面へ進出するときの高さを車輛を避けた高さとしたため、照明器具が車に当たることがないので、交通規制をかけなくても簡単にランプ交換等ができる。また現場状況に合わせて照明器具の上昇位置、下降位置および水平角度を設定することができる。
【００１６】
回動手段としてポールにガイドを設けると、回動構造が簡単になる。
【００１７】
別のガイドローラを追加すると、照明器具が昇降動作するときの振れが防止できる。
【００１８】
別のガイドローラを複数の突条のポールの周方向の一方側の片面のみに設けることで照明器具をスムースに昇降でき、しかも照明器具の振れも防止できる。
【発明を実施するための最良の形態】
【００１９】
この発明の一実施の形態を図１から図８により説明する。すなわち、このポール灯は、例えば道路の路肩や中央分離帯に設置される中空のポール１に照明器具２を昇降自在かつ回動自在に設け、昇降装置３をポール１内に設け、回動手段４をポール１の外周に設けている。
【００２０】
照明器具２は、ポール１に外嵌する輪状の昇降架台５を有し、昇降架台５より水平方向に互いに反対向きにアーム６を介して一対の灯具７を設けている。昇降架台５の内側には図７および図８に示すようにワイヤ固定部８と、振れ防止部材９と、ガイドローラ１０と、回転止め用嵌合部１１を設けている。
【００２１】
ワイヤ固定部８はアーム６の取付け位置に設け、振れ防止部材９はポール１の周面に摺接するように支持体１２を介して昇降架台５の内周面の複数箇所例えば４箇所のそれぞれ上下に設けられ、例えばMCナイロンを用いている。この振れ防止部材９は昇降架台５が傾いてポール１に当たるときの緩衝材として作用し、またポール傷の防止になる。ガイドローラ１０は後述のようにアーム６の延び方向と直交する方向の内側に設けられている。
【００２２】
昇降装置３はポール１の内底部に設置された巻き取りドラムを有する昇降機（ウィンチ）１５と、ポール１の上端部に設置された基台部１６とを有している。基台部１６には図４および図５に示すように一対の滑車１７を設け、滑車１７の一方にケーブル滑車１８（図７）を併設している。昇降機１５のドラムより繰り出したワイヤ１９は２本に分かれてポール１内を通り各滑車１７に掛け回し各先端を照明器具２のワイヤ固定部８に固定している。またポール１内に電源線となるケーブル２０が通され、ケーブル２０の上端部がケーブル滑車１８に掛け回しされ、そこから分岐して各アーム６を通して各灯具７に接続されている。したがって、昇降機１５を駆動するとドラムの一方向の回転によりワイヤ１９が繰り出されて滑車１７が回り照明器具２が下降することができる。ドラムを反対方向に回転させると、ワイヤ１９がドラムに巻き取られ照明器具２が上昇する。照明器具２の上昇に伴ってケーブル２０もケーブル滑車１８を介してポール１内を引き上げられ、下降に伴ってポール１内に弛んだ状態となる。この動作時に振れ防止部材９がポール１を摺接するため、昇降架台５および灯具７が振れることなく昇降することができる。またケーブル２０を通して灯具７に電力が供給され点灯可能となる。
【００２３】
さらに基台部１６には上昇位置の照明器具２の嵌合部１１が嵌合する被嵌合部２２を設けて、照明器具２の回転止めをしている。図６（ａ）に示すように嵌合部１１は突起であり、被嵌合部２２が穴により形成されているが、図６（ｂ）に示すように嵌合部１１が穴、被嵌合部２２が凸部でもよい。
【００２４】
回動手段４はポール１に設けたガイドであり、照明器具２をガイドに沿って移動させる。ガイドは例えばポール１の周面に形成した一対の螺旋状の突条により形成し、突条は例えば板形状をしている。一対の突条はポール１の互いに反対側に位置するように設けられ、しかも各突条の上端部に対して下端部が約９０度回転した位置となるように螺旋状に形成されている。各突条の上端部および下端部はポール１の軸方向に平行すなわち垂直方向に延びている。一方、照明器具２のガイドローラ１０は、回動手段４の両面を転動するように一対設けられ、さらに別のガイドローラ２４がその上側に設けられている。この場合、別のガイドローラ２４はポール１の周方向の一方向の同じ側となる片側に配置され、反対側には設けられていない。したがって、ガイドローラ１０、２４が回動手段４のガイドを転動することによって、照明器具２の昇降に伴って、灯具７が約９０度程度スムースに回動することができる。また照明器具２の上昇位置でガイドにより嵌合部１１と被嵌合部２２が容易に嵌合し、かつ嵌合部１１の嵌合により照明器具２が回転止めされる。
【００２５】
ここで、照明器具２の上昇位置で灯具７が路面上に進出した状態となり、下降位置では灯具７が路面上から路肩または中央分離帯等へ後退した状態に回動するように回動手段４のガイドを設定している。また照明器具２の上昇位置および照明器具２が路面上に進出するときの高さは路面上例えば３８００ｍｍ以上とし、路面上の車輛とくに大型車輌が衝突しないように避けた高さとしている。照明器具２の下降位置は例えば１５００〜２５００ｍｍ以上とし、とくに人が照明器具２に触れることができない高さとして例えば２５００ｍｍ以上が好ましく、ポール１の強度設計とメンテナンスの容易・安全性を両立できる。
【００２６】
なお、別のガイドローラ２４はガイドローラ１０の下側でもよく、あるいは上下でもよく、さらにガイドの両面でもよい。
【００２７】
この発明の別の実施の形態を図９および図１０により説明する。このポール灯は、昇降架台と灯具を有する照明器具がポールの上部で約９０度回動し、昇降時には照明器具は回動することなくその位置で昇降する構成である。
【００２８】
なお、上記実施の形態では照明器具を垂直軸に対して水平回動したが、この発明において、照明器具を水平軸に対して垂直に回動する構成も可能である。
【図面の簡単な説明】
【００２９】
【図１】この発明の一実施の形態を示し、（ａ）は照明器具が上昇位置にあるときの概略断面図、（ｂ）は照明器具が下降位置にあるときの概略断面図である。
【図２】照明器具の概略側面図である。
【図３】ポールの斜視図である。
【図４】照明器具の上昇位置の部分断面図である。
【図５】その嵌合部と被嵌合部を示す断面図である。
【図６】嵌合部と被嵌合部の嵌合の詳細図である。
【図７】昇降架台の横断面図である。
【図８】その拡大詳細図である。
【図９】別の実施の形態の正面図である。
【図１０】その平面図である。
【図１１】従来例の説明図である。
【符号の説明】
【００３０】
１    ポール
２    照明器具
３    昇降装置
４    回動手段
５    昇降架台
９    振れ防止部材
１０    ガイドローラ  
１１    嵌合部
１６    基台部
２２    被嵌合部  
２４    別のガイドローラ
【図１】
2006261016.tif 000003
【図２】
2006261016.tif 000004
【図３】
2006261016.tif 000005
【図４】
2006261016.tif 000006
【図５】
2006261016.tif 000007
【図６】
2006261016.tif 000008
【図７】
2006261016.tif 000009
【図８】
2006261016.tif 000010
【図９】
2006261016.tif 000011
【図１０】
2006261016.tif 000012
【図１１】
2006261016.tif 000013